(57)【要約】  【課題】  グローブ無しタイプとの間でケースの共通化が可能なグローブ有りタイプの低圧水銀放電ランプを提供することを目的とする。  【解決手段】  グローブ有りタイプの電球形蛍光ランプ１００は、二重螺旋形状の発光管１１０と、前記発光管１１０を保持する有底筒状のホルダ１５０と、前記ホルダ１５０の筒状部１５１に套設するケース１８０と、前記発光管１１０を覆うグローブ１３５とを備え、前記ケース１８０は、その直径方向に対向する一対の係合部１８５，１８６，１８７，１８８を内周面に２組（計４個）備えると共に、前記ホルダ１５０は、前記ケース１８０の複数組の係合部１８５，１８６，１８７，１８８のうち、１組の係合部１８５，１８７のみと係合する被係合部１７６，ｌ７７を外周面に備える。  【選択図】  図９
2006012738.tif 000002
【特許請求の範囲】
【請求項１】
二重螺旋形状の発光管と、前記発光管を保持する有底筒状のホルダと、前記ホルダの筒状部を套設したケースと、前記発光管を覆うグローブとを備える低圧水銀放電ランプであって、前記ケースの内周面における前記ケースの直径方向に対向する箇所に、少なくとも１組の係合部を含む４箇所以上に係合部を備え、前記ホルダの筒状部外周面には、前記少なくとも１組の係合部に対応する箇所に前記係合部に係合する被係合部を備え、残りの係合部に対応する箇所が前記残りの係合部と係合しない非係合部になっており、前記ホルダの被係合部と前記ケースの係合部とが係止されて、前記ホルダの筒状部を前記ケースによって套設していることを特徴とする低圧水銀放電ランプ。
【請求項２】
前記ケースは、係合部が４個、９０度の角度をおいて設けられ、前記係合部に係合する被係合部を４個備える、グローブを有しない低圧水銀放電ランプのホルダも組み付け可能であることを特徴とする低圧水銀放電ランプ。
【請求項３】
前記ホルダは、前記発光管の両端部をケース内部に挿入するための一対の挿入口を端壁に備え、前記被係合部は、前記ホルダを平面視したときに端壁における周方向であって前記挿入口間の略中央を結ぶ線分上にあることを特徴とする請求項１又は２に記載の低圧水銀放電ランプ。
【請求項４】
前記ホルダの外周径が、前記発光管における二重螺旋形状の外周径よりも大きいことを特徴とする請求項１〜３のいずれか１項に記載の低圧水銀放電ランプ。
【請求項５】
前記係合部は、ケース内周面から径方向に突出しており、前記ホルダの筒状部外周面は、前記非係合部に対応する部分を除いて開口側周縁から径方向に突出する鍔部を備え、前記被係合部は、前記鍔部であって前記ケースの少なくとも１組の係合部に対応する部分により構成されていることを特徴とする請求項１〜４のいずれか１項に記載の低圧水銀放電ランプ。
【発明の詳細な説明】
【技術分野】
【０００１】
本発明は、二重螺旋形状の発光管と、前記発光管を保持する有底筒状のホルダと、前記ホルダの筒状部に套設するケースと、前記発光管を覆うグローブとを備える低圧水銀放電ランプに関する。
【背景技術】
【０００２】
省エネルギー時代を迎える中、ランプ効率の高い低圧水銀放電ランプ、例えば、一般電球に代わる省エネルギー光源として電球形蛍光ランプが注目されている。この電球形蛍光ランプ（以下「ランプ」という。）には、例えば、二重螺旋形状の発光管と、この発光管を保持する有底筒状のホルダと、このホルダの筒状部に套設するケースと、前記発光管を覆うグローブとを備えたもの（以下「グローブ有りタイプ」という。）がある。なお、ケース内には発光管を点灯させるための点灯回路が格納され、また、ケースの一端にはねじ込み式（Ｅ形）の口金が取着されている。
【０００３】
ここで、ホルダのケースへの組み付け及びグローブの取着について説明する。
まず、ホルダは、円筒状の筒状部とこの筒状部の一端にある端壁とを備える有底筒状をしており、その筒状部における開口側の端縁に径方向外方に突出する鍔部を全周に亘って備えている。一方、ケースは、ホルダの鍔部の表面（端壁側の面）に係合する１組の係合部と、前記鍔部の裏面をケース奥側から支持する４個の支持部とを備える（特許文献１参照）。
【０００４】
なお、ケースの係合部及び支持部は、内周面から径方向内方へと突出する構造をしており、また、１組の係合部は、直径方向に対向する位置（ケースの中心軸を挟んだ対向する位置）に設けられている。
ホルダのケースへの組み付けは、まず、発光管を保持するホルダの筒状部をケースの内部へと挿入させてケースの係合部をホルダの鍔部に当接させ、この状態からさらにホルダの端壁をケース側へと押圧してホルダをケース内に押入させると、係合部と鍔部とが係合する。この係合部と鍔部とが係合した状態では、ホルダの鍔部の裏面がケースの支持部により支持されており、ちょうど、ホルダの鍔部が、ケースの係合部と支持部との間に嵌合する形でホルダがケースに組み付けられる。
【０００５】
ここで、ケースに係合部を１組しか設けていない理由を説明すると、ランプを一般電球と同程度の大きさにするために、二重螺旋形状の発光管の外周径とホルダの外周径とを略同じ寸法にしており、ホルダをケースに組み付ける際に、ホルダの端壁上の押圧する領域が２箇所しかできない。一方、ケース及びホルダは軽量化のためにその肉厚が薄くなっており、ホルダをケース内へと押入させたときに、鍔部における２箇所の押圧する領域に対応する部分のみがケースの係合部と係合し、たとえ、ケースの係合部を４個としても、鍔部における２箇所の押圧する領域から離れた部分では、ケース及びホルダが変形してしまい、ケースの係合部と係合できないのである。
【０００６】
次に、ホルダをケースに組み付けた状態では、ホルダの筒状部とケースとの間に隙間があり、この隙間にシリコン樹脂等の接着剤を充填させておき、グローブの開口側の端部を前記隙間に挿入することで、ホルダとケースとグローブとの３部材を接着剤で固着している。
一方、ランプには、上記のグローブ有りタイプ以外に、グローブを備えないもの（以下「グローブ無しタイプ」という。）もある。近年、ランプの低コスト化を実現するために、グローブ有りタイプとグローブ無しタイプとの２種類のランプにおいて、部品の共通化が進められている。
【特許文献１】特開２００４−６２６８号公報
【発明の開示】
【発明が解決しようとする課題】
【０００７】
しかしながら、従来の２種類のランプにおける部品の共通化は、点灯回路で行われているが、他の部品については、例えば、発光管についてはグローブの有無により点灯時における発光管の温度が違うことからその形状が異なり、また、ホルダについては外観形状が異なり、部品の共通化はできない。
一方、ケースについては、両タイプとも同じような形状であるにも拘わらずその共通化できなかった。つまり、グローブ有りタイプのケースは、ホルダと２箇所で係合するが、最終的には接着剤でグローブを含めて固着するため、ホルダとケースとの結合力に問題はない。しかしながら、係合部を２個有するケースをグローブ無しタイプに適用すると、グローブ無しタイプ用のホルダとの係合箇所が２箇所となってしまうため、ケースとホルダとの間で十分な結合力が得られず、ホルダがケースから外れるという惧れがある。
【０００８】
なお、グローブ無しタイプにおいても、グローブ有りタイプのようにホルダとケースとを接着剤で固着すれば、両者の結合力は向上するが、ホルダのケースへの組み付け時にケース外部へとはみ出した接着剤がグローブを備えないため外部から見え、意匠性を著しく低下させるため、実施できない。また、ケースの係合部の数を増やすことは、ランプのサイズをそのままにしてでは上述の理由によりできない。
【０００９】
本発明は、上記のような問題点に鑑みてなされたもので、グローブ無しタイプとの間でケースの共通化が可能であって、グローブ無しタイプにおいてケースとホルダとの間での十分な結合力が得られるグローブ有りタイプの低圧水銀放電ランプを提供することを目的とする。
【課題を解決するための手段】
【００１０】
上記目的を達成するために、本発明に係る低圧水銀放電ランプは、二重螺旋形状の発光管と、前記発光管を保持する有底筒状のホルダと、前記ホルダの筒状部を套設したケースと、前記発光管を覆うグローブとを備え、前記ケースの内周面における前記ケースの直径方向に対向する箇所に、少なくとも１組の係合部を含む４箇所以上に係合部を備え、前記ホルダの筒状部外周面には、前記少なくとも１組の係合部に対応する箇所に前記係合部に係合する被係合部を備え、残りの係合部に対応する箇所が前記残りの係合部と係合しない非係合部になっており、前記ホルダの被係合部と前記ケースの係合部とが係止されて、前記ホルダの筒状部を前記ケースによって套設していることを特徴としている。
【発明の効果】
【００１１】
本発明に係る低圧水銀放電ランプは、例えば、グローブ無しタイプのランプにおけるホルダに、ケースの４個以上の係合部のそれぞれと係合する被係合部を設けたものを使用すると、ケースとグローブ無しタイプ用のホルダとを４箇所以上で係合することができ、両者の結合力を高めることができる。したがって、グローブ有りタイプ、グローブ無しタイプの２種類についてケースを兼用して使用することができる。
【００１２】
また、前記ケースは、係合部が４個、９０度の角度をおいて設けられ、前記係合部に係合する被係合部を４個備える、グローブを有しない低圧水銀放電ランプのホルダも組み付け可能であり、グローブ無しタイプの低圧水銀放電ランプ用のホルダも組み付けた場合、ケースとグローブ無しタイプ用のホルダとの結合力を高めることができると共に、ホルダをケースにバランス良く組み付けることができる。
【００１３】
さらに、前記ホルダは、前記発光管の両端部をケース内部に挿入するための一対の挿入口を端壁に備え、前記被係合部は、前記ホルダを平面視したときに端壁における周方向であって前記挿入口間の略中央を結ぶ線分上にあるので、特に、ホルダを平面視したときにホルダの端壁における周方向であって挿入口間の略中央部分を押圧することで、ホルダをケースに容易に組み付けることができる。特に、二重螺旋形状の発光管とホルダの端壁表面との間隔がもっとも広くなる箇所が、ホルダを平面視したときにホルダの端壁における周方向であって挿入口間の略中央であるので、例えば、グローブ有りタイプのホルダの外周径を二重螺旋形状の発光管の外周径と同じ程度にまで小型化しても、ホルダをケースに組み付けることができる。
【００１４】
前記係合部は、ケース内周面から径方向に突出しており、前記ホルダの筒状部外周面は、前記非係合部に対応する部分を除いて開口側周縁から径方向に突出する鍔部を備え、前記被係合部は、前記鍔部であって前記ケースの少なくとも１組の係合部に対応する部分により構成されているので、安価に係合部及び被係合部を設けることができる。
【発明を実施するための最良の形態】
【００１５】
以下、本発明をグローブ有りタイプの電球形蛍光ランプ（以下、「ランプ」という。）に適用した場合に説明する。
（１）ランプ（グローブ有りタイプ）の全体構成について
図１は、本実施の形態におけるグローブ有りタイプのランプの全体を示す図であって、ランプの内部が分かるように、ケースとグローブを切り欠いている。
【００１６】
ランプ１００は、図１に示すように、ガラス管１１２を二重螺旋形状に湾曲させてなる発光管１１０と、発光管１１０を保持する有底筒状のホルダ１５０と、発光管１１０を点灯させるための点灯回路１３０と、ホルダ１５０の筒状部に套設されると共にその内部に点灯回路１３０を収納するコーン状のケース１８０と、発光管１１０を覆うグローブ１３５とを備える。
【００１７】
発光管１１０は、その先端（１１４ｄ）がグローブ１３５の内周面に熱伝導性媒体１３７、例えば、シリコン樹脂を介して熱的に結合されている。この結合により、ランプ１００の点灯時における発光管１１０の熱をグローブ１３５から放出させて、発光管１１０の温度を略最大発光光束を発する温度（６０℃〜６５℃程度）と一致させている。なお、ケース１８０における下部側（ホルダと反対側）には、一般電球と同型、つまり、ねじ込み式（Ｅ形）の口金１３９が取り付けられている。
【００１８】
（２）発光管について
図２は、発光管を示す図であって、内部の様子が分かるように、その一部を切り欠いている。
発光管１１０は、ガラス管１１２を湾曲させて、内部に１本の空間を有する発光管本体１１４と、この発光管本体１１４の端部、つまり、前記連続空間の端に対応する部分に封着された電極（図示省略）とを備える。発光管本体１１４の端部が電極の封着を利用して気密封止されることにより、発光管１１０の内部に放電路（発光管本体１１４の連続空間に相当する。）が形成されることになる。
【００１９】
発光管本体１１４は、仮想軸Ａを中心としてその廻りを旋回する二重螺旋形状をしており、２つの旋回部１１４ａ，１１４ｂと、これらを連結する連結部１１４ｃとからなる。
この二重螺旋形状は、ガラス管１１２をその略中央で折り返して折り返し部を形成し、この折り返し部からガラス管の端部までの両部分を仮想軸Ａの廻りをＢ方向に旋回させることにより形成される。ここで、図２に示すように、発光管１１０の外周径Ｄ１は、例えば、４１．５（ｍｍ）である。
【００２０】
そして、ガラス管１１２の折り返し部に相当する部分が発光管本体１１４の連結部１１４ｃに相当し、また、折り返し部から端部までの各々の部分が発光管本体１１４の旋回部１１４ａ，１１４ｂに相当する。
また、発光管本体１１４を構成するガラス管１１２の端部は、仮想軸Ａの延伸する方向（以下「仮想軸方向」という。）に隣合うガラス管との間隔Ｌ２が、旋回部１１４ａ，１１４ｂの中間部分における仮想軸Ａの延伸する方向に隣接するガラス管同士の間隔Ｌ１よりも広くなっている。これは、発光管１１０をホルダ１５０に取り付けたときに、ホルダ１５０の端壁１５２上に押圧領域１７０，１７１を形成するためである。なお、押圧領域１７０，１７１については、後述する。
【００２１】
電極は、図示していないが、従来から用いているものと同じであり、タングステン製のフィラメントコイルと、このフィラメントコイルを架持する一対のリード線１１６ａ，１１６ｂ，１１７ａ，１１７ｂとからなり、一対のリード線１１６ａ，１１６ｂ，１１７ａ，１１７ｂが発光管１１０の内部に位置するビーズにより保持（ビーズマウント方式）されている。なお、発光管本体１１４の一方の端部１１５には、電極を封着する際に、発光管本体１１４内を排気したり、後述の緩衝ガスを封入したりするのに利用する排気管１１９が併せて封着されている。
【００２２】
発光管本体１１４を構成するガラス管１１２の内周面には、蛍光体層１１８が形成されている。この蛍光体層１１８を構成する蛍光体には、例えば、希土類のものが用いられている。ここでの蛍光体層１１８は、例えば、赤（Ｙ2Ｏ3：Ｅｕ）、緑（ＬａＰＯ4：Ｃｅ、Ｔｂ）及び青（ＢａＭｇ2Ａｌ16Ｏ27：Ｅｕ、Ｍｎ）発光の３種類の蛍光体を用いた３波長型である。
【００２３】
また、発光管本体１１４の内部には水銀及び緩衝ガスが上述の排気管１１９を介して封入されている。水銀は、ランプ１００の点灯時に、発光管１１０の内部の水銀の蒸気圧が、略水銀単体で使用した場合の水銀の蒸気圧と略同じになるような形態で封入されていれば良く、例えば、錫水銀、亜鉛水銀等のアマルガム形態で封入されていても良い。
緩衝ガスは、ここでは、アルゴンが用いられているが、例えば、アルゴンとネオンとの混合ガスであっても良い。なお、排気管１１９は、水銀及び緩衝ガスを封入した後、発光管本体１１４の外部に位置する部分が、例えば、チップオフ封止されて、発光管１１０の内部が気密状に保たれる。
【００２４】
発光管本体１１４の連結部１１４ｃには、仮想軸方向の外方へと膨出する膨出部１１４ｄが形成されている。これは、ランプ１００を点灯させた際に、この膨出部１１４ｄに発光管１１０における最も温度の低い、いわゆる、最冷点箇所を形成するためのものである。
ここで、発光管１１０は、発光管本体１１４の端部に電極が封着され封止されたものを指し、上記説明で用いた発光管本体１１４の端部、旋回部１１４ａ，１１４ｂ、膨出部１１４ｄ、仮想軸Ａ等はそのまま引き続き、発光管１１０の場合にも使用する。
【００２５】
（３）点灯回路について
点灯回路１３０は、図１に示すように、コンデンサー１３１，１３３、チョークコイル１３２等の複数の電気・電子部品から構成されたシリーズインバータ方式であって、これらの電気・電子部品は、基板１３４の一の主面（基板の２つの主面のうち、口金１３９側に位置する面）に主に実装されている。この基板１３４は、ホルダ１５０の係止腕１６５，１６６等により係止され保持されている。
【００２６】
（４）ホルダについて
図３は、ホルダの平面図であり、図４は、ホルダの正面図である。また、図５は、ホルダの底面図である。
ホルダ１５０は、図３及び図４に示すように、有底筒状をしており、筒状部１５１とこの筒状部１５１の一端に設けられた端壁１５２とを備える。
【００２７】
端壁１５２には、図３に示すように、発光管１１０の端部をホルダ１５０の内部へと挿入するための挿入口１５３，１５４が一対設けられており、この挿入口１５３，１５４における発光管１１０の端部が挿入する際の上流側には、発光管１１０の端部を挿入口１５３，１５４へと案内する溝状の案内部１５５，１５６が、また挿入口１５３，１５４の下流側には、ホルダ１５０の内部に挿入された発光管１１０の端部を覆う隆起状のカバー部１５７，１５８がそれぞれ形成されている。
【００２８】
そして、挿入口１５３，１５４から発光管１１０の端部を挿入した状態で、例えば、シリコン等の接着剤を用いてホルダ１５０の内部に固着されることにより発光管１１０が保持される。
なお、端壁１５２の表面において、図３に示すように、ホルダ１５０の中心軸を中心とした周方向であって一対の挿入口１５３，１５４間の略中央の位置付近が、ホルダ１５０をケース１８０に組み付ける際に、ホルダ１５０の端壁１５２上を押圧するための押圧領域１７０，１７１となっている。
【００２９】
ホルダ１５０の開口側端縁には、図４における仮想線で示す基板１３４を固定するための固定手段が設けられている。本実施の形態では、固定手段は、図４及び図５に示すように、基板１３４におけるホルダ１５０の端壁１５２側の面（以下「裏面」という。）１３４ａに端壁１５２側から支持したり、基板１３４の移動（ホルダ１５０の中心軸と直交する方向への移動）を規制したりする、例えば、４つの支持規制片１６０，１６１，１６２，１６３と、基板１３４の表面１３４ｂの端縁に係合する、例えば、２つの係止腕１６５，１６６とを備える。
【００３０】
支持規制片１６０，１６１，１６２，１６３には、補強用のリブ１６０ａ，１６１ａ，１６２ａ，１６３ａが形成されている。また、各支持規制片１６０，１６１，１６２，１６３の先端部は、図４及び図５に示すように、その一部が切り欠かれた切欠き部１６０ｂ，１６１ｂ，１６２ｂ，１６３ｂとなっており、この切欠き部１６０ｂ，１６１ｂ，１６２ｂ，１６３ｂが基板１３４の裏面１３４ａに、そして、先端部が基板１３４の側面に当接することで、基板１３４の支持と基板１３４の移動阻止を行っている。
【００３１】
また、ホルダ１５０の筒状部１５１の開口側端縁には、ホルダ１５０を平面視した（図３に相当する。）ときに、２つの押圧領域１７０，１７１を結ぶ線分と直交する線分が開口側端縁と交差する位置を含む部分（以下「非係合部」という。）１７２，１７３を除いて、外方側に張り出す鍔部１７５が形成されている。
そして、同じく、ホルダ１５０を平面視した（図３に相当する。）ときに、鍔部１７５上であって押圧領域１７０，１７１を結ぶ線分と交差する位置を含む２つの部分が、後述のケース１８０の係合部と係合する被係合部１７６，１７７となっている。
【００３２】
なお、被係合部１７６，１７７の周方向の両端には、図３及び図４に示すように、ホルダ１５０をケース１８０に組み付けたときにケース１８０に対するホルダ１５０の回動防止用の凸部１７６ａ，１７７ａが、また、非係合部１７２，１７３の周方向の両端には、鍔部１７５の補強用の凸部１７２ａ，１７３ａがそれぞれ形成されている。
（５）ケースについて
図６は、ケースの平面図であり、図７は、図６のＸ−Ｘ断面を矢印方向から見た図である。
【００３３】
ケース１８０は、略コーン状をしており、大径筒部１８２、大径筒部１８２より径の小さい小径筒部１８３、大径筒部１８２と小径筒部１８３との間にある傾斜筒部１８４からなる。
大径筒部１８２側には上述のホルダ１５０が組み付けられ、小径筒部１８３には口金１３９が被着する。なお、ケース１８０の小径筒部１８３の外周面には、口金１３９と螺着用のねじが形成されている。
【００３４】
ケース１８０の大径筒部１８２の内周面には、ホルダ１５０の被係合部１７６，１７７と係合可能な４個の係合部１８５，１８６，１８７，１８８が形成されている。係合部１８５，１８６，１８７，１８８は、ケース１８０の周方向に９０度の角度をおいて形成されている。
係合部１８５，１８６，１８７，１８８は、ケース１８０の大径筒部１８２側から小径筒部１８３側に移るに従って、ケース１８０の軸心側への突出量が徐々に大きくなる略直線状の斜面を有している。この斜面により、ホルダ１５０のケース１８０への組み付けがスムーズに行える。
【００３５】
ケース１８０の周方向に隣接する係合部１８５，１８６，１８７，１８８同士の略中央には、ホルダ１５０の鍔部１７５における端壁１５２と反対側の面を口金１３９側から当接して、ホルダ１５０を支持する当接支持部１９０，１９１，１９２，１９３が形成されている。この当接支持部１９０，１９１，１９２，１９３は、ケース１８０の軸心方向に延伸しており、ケース１８０を補強する機能も有する。
【００３６】
なお、各係合部１８５，１８６，１８７，１８８の口金１３９側には、後述するグローブ無しタイプのホルダ２５０を口金２３９側から当接して支持する当接支持部１９４，１９５，１９６，１９７が形成されている（図７及び図１０参照）。
（６）グローブについて
グローブ１３５は、図１に示すように、一般電球に用いられている外管バルブと同様に、装飾性に優れた透光性を有するガラス材からなり、その形状がなす状、所謂Ａ形をしている。
【００３７】
このグローブ１３５は、ホルダ１５０の筒状部１５１と、この筒状部１５１に套設するケース１８０の大径筒部１８２との間に、グローブ１３５の開口側の端部１３５ａが挿入されて、シリコン樹脂等の接着剤１３６を利用して固着されている。
（７）ホルダ、ケース及びグローブの組立てについて
図８は、ホルダ、ケース及びグローブの組立てを説明するための図である。
【００３８】
先ず、図８の（ａ）に示すように、発光管１１０と点灯回路１３０とを備えるホルダ１５０と、ケース１８０とを準備し、点灯回路１３０がケース１８０の大径筒部１８２内に位置するように、ホルダ１５０の筒状部１５１をケース１８０内に挿入する（矢印Ｃ方向）。
このホルダ１５０のケース１８０への挿入は、ホルダ１５０の一組の被係合部１７６，１７７がケース１８０の２組の係合部１８５，１８６，１８７，１８８の内に一組、例えば、係合部１８５，１８７に対応するように位置合せした状態で、ホルダ１５０の一組の被係合部１７６，１７７がケース１８０の一組の係合部１８５，１８７に当接するまで続けられる。
【００３９】
ホルダ１５０の一組の被係合部１７６，１７７がケース１８０の一組の係合部１８５，１８７と当接する（この状態が（ｂ）である）と、ホルダ１５０の端壁１５２上の押圧領域１７０，１７１を矢印Ｄ方向から押圧して、ホルダ１５０を挿入方向へさらに押入する。
図９は、ホルダをケースに組み付け中の状態をケースの軸心上から見た図である。
【００４０】
同図に示すように、ケース１８０の２組の係合部（１８５，１８７）、（１８６，１８８）の内、１組の係合部１８５，１８７は、ホルダ１５０の被係合部１７６，１７７に当接するが、ケース１８０の残りの係合部１８６，１８８は、ホルダ１５０の非係合部１７２，１７３に対応する。
このため、ホルダ１５０の端壁１５２上の押圧部分１７０，１７１を押圧してホルダ１５０をケース１８０内にさらに押入させても、ケース１８０の係合部１８６，１８８とホルダ１５０とが互いに干渉することがなく、ケース１８０の係合部１８５，１８７がホルダ１５０の被係合部１７６，１７７に容易に係合させることができる（この状態が（ｃ）である）。これにより、ホルダ１５０のケース１８０への組み付けが完了する。
【００４１】
なお、ホルダ１５０をケース１８０に組み付けた状態では、ホルダ１５０の被係合部１７６，１７７及びケース１８０の係合部１８５，１８６，１８７，１８８における周方向の端縁には回動阻止用の凸部が形成されているので、ホルダ１５０がケース１８０に対して必要以上に回動するようなことはない。
このあと、ケース１８０の大径筒部１８２とホルダ１５０の筒状部１５１との間に接着剤を充填して、グローブ１３５の開口側の端部１３５ａを、接着剤１３６が充填されているケース１８０とホルダ１５０との間に挿入し、接着剤１３６を硬化させて、ケース１８０とホルダ１５０及びグローブ１３５を固着する。
【００４２】
なお、ホルダ１５０の鍔部１７５は、グローブ１３５を固着するために、グローブ１３５とケース１８０との間に充填された接着剤１３６がケース１８０の内部へと流動するのを防止する機能も有している。
（８）ケースの共通化について
上記で説明したグローブ有りタイプのランプ１００に用いられているケース１８０をグローブ無しタイプのランプに使用する場合ついて以下説明する。
【００４３】
８−１．グローブ無しタイプのランプの全体構成
図１０は、グローブ無しタイプのランプの全体を示す図であって、ランプの内部が分かるように、ケースとホルダとを切り欠いている。
ランプ２００は、図１０に示すように、ガラス管２１２を二重螺旋形状に湾曲させてなる発光管２１０と、発光管２１０を保持する有底筒状のホルダ２５０と、発光管２１０を点灯させるための点灯回路２３０と、ホルダ２５０の筒状部に套設されると共にその内部に点灯回路２３０を収納するコーン状のケース１８０とを備え、ケース１８０における下部側にはグローブ有りタイプと同様に、ねじ込み式の口金２３９が取り付けられている。
【００４４】
なお、ケースは、上述したグローブ有りタイプのケース１８０と同じ構造のものを用いており、符号は、そのまま、「１８０」を用いている。また、ケース１８０以外に、グローブ有りタイプと同じ部材を使っている（例えば、口金）ものもあるが、本発明の特徴部分であるケース１８０についてのみ同じ符号を用いている。
８−２．発光管、点灯回路及びケースについて
発光管２１０は、ガラス管２１２を湾曲させて二重螺旋形状に形成した発光管本体２１４を備え、その構成は、グローブ有りタイプの発光管１１０と略同じであるが、発光管本体２１４の連結部２１４ｃにはグローブ有りタイプでの膨出部１１４ｄが形成されていない。これは、グローブ有りタイプのように、放熱対策として発光管１１０とグローブ１３５とを熱的に結合する必要がないからである。
【００４５】
点灯回路２３０は、グローブ有りタイプでの点灯回路１３０と同じ構成（回路定数が異なる）で、コンデンサー２３１，２３３、チョークコイル２３２等の複数の電子・電気部品を基板２３４に備える。この基板２３４は、グローブ有りタイプ及びグローブ無しタイプ兼用であり、ホルダ２５０の係止腕２６５，２６６により係止（図１２参照）されている。
【００４６】
ケース１８０は、上述したように、グローブ有りタイプのケース１８０と同じ構成であり、グローブ有りタイプ及びグローブ無しタイプに関係なく共通部品としている。
８−３．ホルダについて
図１１はホルダの平面図、図１２はホルダの正面図である。図１３はホルダの底面図である。
【００４７】
ホルダ２５０は、図１１及び図１２に示すように、有底筒状をしており、筒状部２５１とこの筒状部２５１の一端に設けられた端壁２５２とを備える。
端壁２５２には、グローブ有りタイプにおけるホルダ１５０の端壁１５２と同様に、一対の挿入口２５３，２５４、一対の案内部２５５，２５６、一対のカバー部２５７，２５８がそれぞれ形成されている。なお、発光管２１０の保持方法は、グローブ有りタイプでの発光管１１０の保持方法と同じである。
【００４８】
ホルダ２５０の筒状部２５１の端縁には、図１２における仮想線で示す基板２３４を固定するための固定手段が形成されている。本実施の形態では、固定手段は、図１２に示すように、グローブ有りタイプと同様に、例えば、４つの支持規制片２６０，２６１，２６２，２６３と、仮想線で示す基板１３４の表面２３４ｂの端縁に係合する、例えば、２つの係止腕２６５，２６６とを備える。なお、支持規制片２６０，２６１，２６２，２６３には、グローブ有りタイプと同様に、補強用のリブ、切欠き部等が設けられている。
【００４９】
また、ホルダ２５０の筒状部２５１の外周面には、ケース１８０の係合部１８５，１８６，１８７，１８８が係合する被係合部２７１，２７２，２７３，２７４と、補強用のリブ２７６，２７７，２７８，２７９とが形成されている。
被係合部２７１，２７２，２７３，２７４は、ホルダ２５０の筒状部２５１からホルダ２５０の径方向の外方に突出する形状をしており、この部分がケース１８０の係合部１８５，１８６，１８７，１８８と、当接支持部１９４，１９５，１９６，１９７との間に嵌合するようになっており、これにより、ホルダ２５０とケース１８０とが結合する。
【００５０】
また、ホルダ２５０がケース１８０と組み付けられた状態では、図１０に示すように、ホルダ２５０端壁２５２の外周径がケース１８０の大径筒部１８２の外周径より大きくなっており、また、当然、発光管２１０の外周径よりも大きくなっている。
このため、端壁２５２の周縁部分の略全領域が、ホルダ２５０をケース１８０に組み付ける際にホルダ２５０をケース１８０内に押入するための押圧領域となり得る。従って、ホルダ２５０に４つの被係合部２７１，２７２，２７３，２７４があっても、これらの被係合部２７１，２７２，２７３，２７４に近い端壁２５２の表面を押圧することができ、容易にホルダ２５０をケース１８０に組み付けることができる。
【００５１】
（９）まとめ
グローブ有りタイプにおける上記構成のケース１８０とホルダ１５０とは、基本的には、従来のケースとホルダとの組み付け方法と同じ（ケースとホルダとは２箇所で係合する。）であり、ケース１８０、ホルダ１５０及びグローブ１３５は、最終的には接着剤１３６を用いて固着しているので、従来通りこれらの結合力には問題がない。
【００５２】
一方、本発明に係るランプ用のケース１８０には、複数組の係合部、実施の形態では、２組計４個の係合部１８５，１８６，１８７，１８８が設けられている。これに対し、グローブ有りタイプのホルダ１５０の被係合部１７６，１７７は、ケース１８０の１組の係合部（例えば、１８５，１８）にのみ係合するように構成されている。
つまり、グローブ有りタイプのホルダ１５０は、ケース１８０の４個の係合部１８５，１８６，１８７，１８８に対し、その４個の内、ケース１８０の直径方向に対向する１組の係合部（１８５，１８７）に対応する箇所ではこれらの係合部（１８５，１８７）と係合する被係合部１７６，１７７を備え、残りの２個の係合部（１８６，１８８）に対応する箇所ではこれらの係合部（１８６，１８８）とは係合しない非係合部１７２，１７３を備える構造となっている。
【００５３】
このため、ケース１８０には２組（４個）の係合部１８５，１８６，１８７，１８８が設けられているが、グローブ有りタイプのホルダ１５０のケース１８０への組み付けには何ら影響がなく、組み付け作業の効率が低下するようなこともない。
なお、グローブ有りタイプのホルダ１５０の非係合部１７２，１７３には、鍔部が形成されておらず、グローブ１３５の固着時に使用する接着剤が非係合部１７２，１７３からケース１８０の奥側へと流動することが考えられるが、非係合部１７２，１７３にはケース１８０の係合部（１８６，１８８）が位置することになり、接着剤の流動を止めることができる。
【００５４】
一方、グローブ有りタイプに使用したケースをグローブ無しタイプに用いる場合、ケース１８０には２組の係合部１８５，１８６，１８７，１８８があり、一方、グローブ無しタイプのホルダ２５０には、ケース１８０の２組の係合部１８５，１８６，１８７，１８８と係合するように４個の被係合部２７１，２７２，２７３，２７４があるので、グローブ無しタイプのホルダ２５０をケース１８０に組み付けた状態では、４箇所で係合することになり、従来の２箇所の係合に比べて高い結合力を得ることができる。
【００５５】
従って、グローブ有りタイプで使用するケース１８０を、グローブ無しタイプのケースとして使用しても、グローブ無しタイプにおけるホルダ２５０とケース１８０との間で十分な結合力が得られ、グローブ有りタイプ及びグローブ無しタイプの両方にケース１８０を兼用して用いることができ、部品点数の削減を図ることができる。
以上、本発明を実施の形態に基づいて説明したが、本発明の内容が、上記実施の形態に示された具体例に限定されないことは勿論であり、例えば、以下のような変形例をさらに実施することができる。
<変形例＞
１．ランプ
上記実施の形態におけるランプは、発光管本体の内周に蛍光体層が形成されている発光管を用いているが、例えば、蛍光体層が形成されていない発光管を用いても良い。また、実施の形態では、本発明の低圧水銀放電ランプとして電球形蛍光ランプについて説明したが、本発明のランプは他のランプであっても良い。このような他のランプに、例えば、コンパクト型の蛍光ランプがある。このコンパクト型の蛍光ランプに本発明を適用させた場合を変形例１として、以下説明する。
【００５６】
図１４は、変形例１における蛍光ランプの概略を示す図であってランプの内部の形状が分かるように一部切り欠いている。
この蛍光ランプ５００は、ガラス管５２０の端部まで螺旋状に旋回する二重螺旋形状の発光管５１０と、この発光管５１０を保持する有底円筒状のホルダ５３０と、このホルダ５３０の筒状部に被着するケース５４０と、発光管５１０を覆うグローブ５５０と、灯具のソケットに嵌合して電力の供給を受ける片口金５６０（例えば、ＧＸ１０ｑ型）とを備える。上記ランプ１００とは、ホルダ５３０とケース５４０との内部に点灯回路１３０を収納していない点、口金の形状が一般電球にも使用されているねじ込み口金でない点で異なる。
【００５７】
なお、本発明の低圧水銀放電ランプには、上記で説明した蛍光ランプ以外に、蛍光体層を有しない発光管を用いたコンパクト型のランプも含まれる。
２．係合部及び被係合部
上記実施の形態において、ケース１８０の係合部１８５，１８６，１８７，１８８は内周面から径方向に突出し、ホルダ１５０，２５０の被係合部１７６，１７７、２７１，２７２，２７３，２７４は筒状部１５１，２５１の外周面から径方向に突出している。
【００５８】
しかしながら、係合部と被係合部の構造は、実施の形態において説明した、突出する構造に限定するものではない。実施の形態と異なる係合部及び被係合部について変形例２及び３として、以下説明する。
図１５は、変形例２におけるグローブ有りタイプでのケースとホルダとの結合を示す図であり、図１６は、変形例３におけるグローブ無しタイプでのケースとホルダとの結合を示す図である。
【００５９】
（１）グローブ有りタイプ
変形例２におけるグローブ有りタイプのランプでは、図１５に示すように、発光管６４０を保持するホルダ６３０、グローブ６２０、ケース６１０等を備える。発光管６４０及びグローブ６２０は、実施の形態におけるグローブ有りタイプの発光管１１０及びグローブ１３５と同じ構造である。
【００６０】
ケース６１０はその内周面にその肉厚方向に凹入する係合部６１２を有し、一方、ホルダ６３０はその筒状部６３２の開口側端縁にその径方向（の外方）に突出する被係合部６３４を備える。つまり、ここでの係合部６１２はケース６１０の内周面から突出するのではなく、凹入している構造である。
ホルダ６３０のケース６１０への組み付けは、実施の形態と同様に、ケース６１０内にホルダ６３０を挿入させて、ホルダ６３０の突出状の被係合部６３４が、ケース６１０の凹入状の係合部６１２に嵌合するまで押入させることで行える。
【００６１】
なお、この場合、被係合部６３４が係合部６１２に嵌合しているので、これによりホルダ６３０とケース６１０との結合も行える。
（２）グローブ無しタイプ
変形例３におけるグローブ無しタイプのランプでは、図１６に示すように、発光管６６０を保持するホルダ６５０、ケース６１０等を備える。発光管６６０は、実施の形態におけるグローブ無しタイプの発光管２１０と同じ構造である。
【００６２】
ケース６１０は、図１５で説明した変形例２のケース６１０と同じ構造である。ホルダ６５０は筒状部６５２の開口側の端縁に径方向に突出する被係合部６５４を９０度の角度をおいて４個（２組）備える構造をしている。
そして、ホルダ６５０をケース６１０に組み付けた状態では、ホルダ６５０とケース６１０とは４箇所で係合することになる。なお、ホルダ６５０のケース６１０の組み付けは、上記変形例２と同様である。
【００６３】
（３）その他
変形例２で説明したホルダ６３０は、少なくとも、ケース６１０の１組の係合部（６１２）に対応する位置に、係合部に係合する被係合部（６３４）を備えておれば良く、以下のような例がある。
１．例１
ホルダは、その外周面に径方向に突出する鍔部を全周に備え、この鍔部上であってケースの係合部に対応する部分からさらに突出することで被係合部を構成しても良い。この場合、非係合部は、鍔状に突出している部分となるが、この突出部分の突出先端がケースの内周面にまで達しなれば問題ない。
【００６４】
さらに、係合部を構成するための凹入部分は、ケースの内周面の全周にあっても良いし、ホルダの被係合部に対応する部分だけに設けても良い。
２．例２
ホルダの被係合部は、鍔状の一部で構成する必要はない。例えば、複数個の被係合部は、それぞれが独立して突出するような構造であっても良い。この場合、非係合部は、ホルダの筒状部のままとなる。
【００６５】
３．例３
変形例（１〜３）及び上記例１、例２では、係合部が凹入状で、被係合部が突出状をしているが、これらが反対の構造であっても、本発明における効果が得られるのは言うまでもない。
３．係合部及び被係合部の数及び位置
実施の形態では、ケース１８０の係合部を２組、つまり合計４個（１８５，１８６，１８７，１８８）備えていたが、本発明は、２組に限定するものでなく、例えば、３組、４組、さらには５組以上でも良い。
【００６６】
但し、ケースとホルダとの結合力の点でみると、係合箇所が２組あれば、ランプを実際に使用する上で必要とされる結合力が得られ、却って、係合箇所が３組以上あるとホルダのケースへの組み付けが、逆に煩雑になる傾向にある。
また、ケースの係合部は、４個以上の奇数個ある場合、例えば、５個ある場合、その内の２個（１組）がケースの直径方向に対向しておれば良く、残りの１組の係合部は、必ずしもケースの直径方向に対向して設ける必要はない。これは、係合部が４個以上となると、周方向に隣接する係合部の間隔が狭くなり、ホルダが安定して状態でケースに取り付けられるからである。
【００６７】
一方、実施の形態では、ケース１８０の係合部の数（４個）と、グローブ無しタイプのランプに用いられるホルダの被係合部の数（４個）とは一致しているが、ケースの係合部の数とグローブ無しタイプのランプに用いられるホルダの被係合部の数とは必ずしも一致させる必要はない。但し、ケースとグローブ無しタイプ用のホルダとの係合箇所が４箇所以上の方が好ましい。
【００６８】
４．ホルダの非係合部
実施の形態では、グローブ有りタイプにおけるホルダ１５０は、開口側の端縁に鍔部１７５を備え、ケース１８０の係合部（１８５，１８６，１８７，１８８）のうち、１組の係合部（１８５，１８７）を除く残りの係合部（１８６，１８８）に対応する部分が筒状部のままであり、係合しないようになっているが、例えば、ケースの係合部と係合しない程度の突出量であれば、突出部を備えていても良い。
【００６９】
５．グローブ
実施の形態では、グローブとして、所謂「Ａ形」を用いたが、他の形状のものであっても良く、例えば、Ｔ形、Ｇ形等であっても良い。さらには、透明なクリアタイプ、或いはシリカ粒子等の光拡散性物質を塗布したようなホワイトタイプ等、特に限定するものではない。
【産業上の利用可能性】
【００７０】
本発明は、二重螺旋形状の発光管と、前記発光管を保持する有底筒状のホルダと、前記ホルダの筒状部に套設するケースとを備える低圧水銀放電ランプの低コスト化に利用できる。
【図面の簡単な説明】
【００７１】
【図１】本発明の実施の形態におけるグローブ有りタイプのランプを示す一部切欠正面図
【図２】同じく発光管の一部切欠正面図
【図３】ホルダの平面図
【図４】ホルダの正面図
【図５】ホルダの底面図
【図６】ケースの平面図
【図７】図６に示すケースのＸ−Ｘ断面を矢印方向から見た図
【図８】ホルダ、ケース及びグローブの組立てを説明するための図
【図９】ホルダをケースに取り付ける中の状態をケースの軸心上から見た図
【図１０】グローブ無しタイプのランプを示す一部切欠正面図
【図１１】ホルダの平面図
【図１２】ホルダの正面図
【図１３】ホルダの底面図
【図１４】変形例１における蛍光ランプを示す一部切欠正面図
【図１５】変形例２におけるグローブ有りタイプでのケースとホルダとの結合を示す一部切欠拡大正面図
【図１６】変形例３におけるグローブ無しタイプでのケースとホルダとの結合を示す一部切欠拡大正面図
【符号の説明】
【００７２】
１００      グローブ有りタイプのランプ
１１０      発光管
１３０      点灯回路
１５０      ホルダ
１５１      筒状部
１５２      端壁
１７６，１７７      被係合部
１７２，１７３      非係合部
１８０      ケース
１８５，１８６，１８７，１８８      係合部
２００      グローブ無しタイプのランプ
２５０      ホルダ
２７１，２７２，２７３，２７４      被係合部
【図１】
2006012738.tif 000003
【図２】
2006012738.tif 000004
【図３】
2006012738.tif 000005
【図４】
2006012738.tif 000006
【図５】
2006012738.tif 000007
【図６】
2006012738.tif 000008
【図７】
2006012738.tif 000009
【図８】
2006012738.tif 000010
【図９】
2006012738.tif 000011
【図１０】
2006012738.tif 000012
【図１１】
2006012738.tif 000013
【図１２】
2006012738.tif 000014
【図１３】
2006012738.tif 000015
【図１４】
2006012738.tif 000016
【図１５】
2006012738.tif 000017
【図１６】
2006012738.tif 000018